(57)【特許請求の範囲】
【請求項１】
円板体を転送させる円板体案内通路と、該円板体案内通路内を転送する円板体の真偽を判別する円板体選別手段と、該円板体選別手段を介して前記円板体案内通路を通過する円板体を該円板体案内通路から強制的に排除する円板体強制排除手段とを少なくとも有する円板体選別装置において、
前記円板体強制排除手段は、
第１の付勢手段の付勢力により前記円板体案内通路内に一端が突出し、前記円板体案内通路を通過する円板体を排除する円板体排除レバーと、
該円板体排除レバーを前記第１の付勢手段の付勢力に抗して吸引し、前記一端を前記円板体案内通路から待避させる待避手段と、
第２の付勢手段の付勢力により常時は前記円板体案内通路側に付勢され、前記円板体排除レバーの待避時は、該円板体排除レバーと対向する位置の前記円板体案内通路における側壁の一部を成し、前記円板体排除レバーの一端が前記第１の付勢手段の付勢力により前記円板体案内通路内に突出する時は、該円板体排除レバーと連動して前記円板体案内通路から離間する円板体案内レバーと
からなることを特徴とする円板体選別装置。
【請求項２】
前記円板体は、硬貨、遊戯用メダル、トークン等であることを特徴とする請求項(1）記載の円板体選別装置。
【請求項３】
前記第１および第２の付勢手段はそれぞれコイルバネであることを特徴とする請求項(1）記載の円板体選別装置。
【発明の詳細な説明】
【０００１】
【発明の属する技術分野】
この発明は、硬貨、代用硬貨（トークン）、あるいは遊戯用メダル等の円板体の真偽を判別し、それを選別する円板体選別装置の改良に関する。
【０００２】
【従来の技術】
従来から、スロットマシーン等の遊戯用機械内には、円板体投入口から投入された円板体（硬貨、あるいは遊戯用メダル等）の真偽を判別し、真円板体と見做された円板体を収容するとともに、偽円板体と見做された円板体を排除するようにした円板体選別装置が配設されている。
【０００３】
この従来の円板体選別装置は、円板体投入口から投入された円板体を転送させる直線状に形成された一本の傾斜転送レールからなる円板体案内通路と、この傾斜転送レールの途中に配設され、外径の差異により円板体の真偽を判別して選別する円板体選別手段と、上述した円板体案内通路内を転送する円板体を強制的に排除する円板体強制排除手段とから構成されている。
【０００４】
このうち、円板体強制排除手段は円板体選別装置が受け入れる円板体の枚数が一定枚数に達したとき、それ以上の枚数の円板体が受け入れないようにするものである。
【０００５】
このような円板体強制排除手段を設ける理由は、例えば、日本で使用される遊戯機器のうち、スロットマシーンでは、現に遊戯に使用されている円板体を除き、遊戯用としてスロットマシーン内にストックする円板体の最大枚数を５０枚に制限し、またストック円板体の枚数を表示する表示器も最大５０枚しか表示させないようにしたものがある。
【０００６】
このような円板体の受入枚数に制限を設けたスロットマシーンでは、例えば円板体のストックとして５１枚の円板体を投入した場合は、５０枚目までの円板体は遊戯に使用できる円板体としてスロットマシーン内に受け入れられ、また表示器に５０枚の文字が表示されるが、５１枚目の円板体は上述した円板体強制排除手段により排除されて遊戯者に返還するようにしている。
【０００７】
【発明が解決しようとする課題】
ところで上述した従来の円板体選別装置に使用される円板体強制排除手段によると、複数枚の円板体を所定の時間間隔を設けて投入する場合は、ストック円板体が一定枚数以上に達すると、その一定枚数以上の円板体を強制的に排除することはできるが、あまり時間間隔を設けず複数枚の円板体を連続投入した場合は、円板体強制排除手段の作動遅延等の理由により、一定枚数以上の円板体を直ちに排除することはできず、いわゆる「円板体の飲み込み現象」として遊戯機器内に収容されてしまう場合がある。前述の例でいうと返還されるはずの５１枚目の円板体が遊戯者に返還されず装置内に収容されてしまう現象である。
【０００８】
このような、「円板体の飲み込み現象」が発生すると、飲み込まれた円板体は、遊戯用にストックされた円板体として認識されることはなく、またストックされた円板体の枚数を表示する表示器にも表示されないから、遊戯に使用することができず遊戯者にとってはなはだ不公平な取扱いとなる。
【０００９】
この発明は、上述した事情に鑑み、円板体の飲み込み現象を可及的に低減させるようにした円板体選別装置を提供することを目的とする。
【００１０】
【課題を解決するための手段】
上述した課題を解決するため、この発明では、円板体を転送させる円板体案内通路と、該円板体案内通路内を転送する円板体の真偽を判別する円板体選別手段と、該円板体選別手段を介して前記円板体案内通路を通過する円板体を該円板体案内通路から強制的に排除する円板体強制排除手段とを少なくとも有する円板体選別装置において、前記円板体強制排除手段は、第１の付勢手段の付勢力により前記円板体案内通路内に一端が突出し、前記円板体案内通路を通過する円板体を排除する円板体排除レバーと、該円板体排除レバーを前記第１の付勢手段の付勢力に抗して吸引し、前記一端を前記円板体案内通路から待避させる待避手段と、第２の付勢手段の付勢力により常時は前記円板体案内通路側に付勢され、前記円板体排除レバーの待避時は、該円板体排除レバーと対向する位置の前記円板体案内通路における側壁の一部を成し、前記円板体排除レバーの一端が前記第１の付勢手段の付勢力により前記円板体案内通路内に突出する時は、該円板体排除レバーと連動して前記円板体案内通路から離間する円板体案内レバーとから構成するようにしている。
【００１１】
【発明の実施の形態】
以下、この発明に係わる円板体選別装置の一実施例を詳述する。
【００１２】
図１はこの発明に係わる円板体選別装置１の概念正面図である。
【００１３】
この円板体選別装置１はプラスチック等の合成樹脂で形成された矩形状のメインプレート２と、このメインプレート２の略上方を開閉自在に覆うステンレス等の金属板により形成されたゲートプレート３と、前記メインプレート２の略下方を開閉自在に覆うカバープレート４（一点鎖線）とから構成されている。
【００１４】
このうち、ゲートプレート３はその右側方に配設された軸５を介しメインプレート２に対し回動自在に支承され、またこのゲートプレート３は軸５に巻回されたコイルバネ６の付勢力により常時はメインプレート２の上方を覆い、このゲートプレート３とメインプレート２との間に後述する円板体案内通路を形成している。
【００１５】
このメインプレート２の表面２ａには、ゲートプレート３とカバープレート４とを取り除いた状態を示す図２のように、円板体投入口５に上端が連通し、下端が下方へ向け延設された第１の円板体案内通路１０と、該第１の円板体案内通路１０の下端に連通し、図面右下方へ向けて直線状に延設された第２の円板体案内通路１１が形成され、メインプレート２の表面２ａはこの第１および第２の円板体案内通路１０、１１の一方の側壁を構成している。
【００１６】
なお、上述した第１の円板体案内通路１０と第２の円板体案内通路１１を構成する他方の側壁の一部は図１に示すゲートプレート３の裏面により形成されている。なお、ゲートプレート３の下端には第２の円板体案内通路１１に沿い、メインプレート２側へ折り曲げられた直線状のリブからなる一本の傾斜転送レール３ａが形成されている。
【００１７】
一方、この第２の円板体案内通路１１には、当該第２の円板体案内通路１１内を転送する円板体をその外径の差異により選別する円板体選別手段１２の主要部が形成されている。
【００１８】
この円板体選別手段１２は、前記第２の円板体案内通路１１の一方の側壁を構成する前記ゲートプレート３に形成され、傾斜転送レール３ａから上縁３ｂまでの高さＬが転送される真円板体の外径よりも若干短く形成された切り欠３ｃと、この切り欠３ｃが形成された側壁が円板体の進行方向に対し外側へ傾斜した傾斜壁３ｄとから構成されている。
【００１９】
一方、図２に示すように、第１の円板体案内通路１１の下流端には、上述した円板体選別手段１２の一部を構成し、円板体投入口５から落下する円板体を切り欠３ｃの傾斜壁３ｄ（図１）側へ常時押し付ける円板体押付け手段１３が配設されている。
【００２０】
この円板体押付け手段１３は図示せぬバネ等の付勢手段により一端１４ａが常時第１の円板体案内通路１０内に突出した円板体押付けレバー１４により構成されている。
【００２１】
なお、上述した円板体押付けレバー１４の上流に位置するメインプレート表面２ａには、円板体投入口５から落下する円板体の板厚を規制する板厚規制手段１５が配設され、この板厚規制手段１５はシックネススクリユー１６により構成されている。
【００２２】
一方、図１で示すように、第２の円板体案内通路１１の途中には前記円板体選別手段１２を介し選別されて前記第２の円板体案内通路１１を通過する円板体を該円板体案内通路１１から強制的に排除する本願発明に係わる円板体強制排除手段２０が配設されている。
【００２３】
この円板体強制排除手段２０は、図１のＡＡ要部拡大断面図で示す図３のように、メインプレート２に固着されたＬ字形状金具２１の先端に、軸２２を中心に回動自在に支承された円板体排除レバー２３から構成されている。
【００２４】
この円板体排除レバー２３は、その上端２３ａとＬ字形状金具２１の突起２１ａとの間を連結する第１の付勢手段であるコイルバネ２４の付勢力により、常時は軸２２を中心に反時計方向へ回動し、その下端２３ｂを第２の円板体案内通路１１内へ突出させている。
【００２５】
また、上述したＬ字形状金具２１には、図示せぬ制御装置の駆動信号に基づいてオン・オフし、円板体排除レバー２３を円板体案内通路１１内から待避させる待避手段であるソレノイド２５が固着されており、このソレノイド２５がオンすると、その磁力により図４で示すようにソレノイド２５は円板体排除レバー２３をコイルバネ２４の付勢力に抗して吸着し、円板体排除レバー２３を軸２２を中心に時計方向へ回転させて、その下端２３ｂを第２の円板体案内通路１１内から待避させる。
【００２６】
一方、図１に示すように、円板体強制排除手段２０は、円板体排除レバーと対向する位置に円板体案内レバー３０を有している。
【００２７】
この円板体案内レバー３０は、ゲートプレート３に軸３１を介して回動自在に支承され、またこの軸３１に嵌挿した第２の付勢手段であるコイルバネ３２の付勢力により、その下端３０ａは常時第２の円板体案内通路１１内へ向け付勢されている。また、この円板体案内レバー３０の下端３０ａには、第２の円板体案内通路１１の下流端へ向けて、ガイドバー３０ｂが延設され、これにより円板体案内レバー３０は第２の円板体案内通路１１の側壁の一部を形成している。
【００２８】
一方、図３に示すように円板体案内レバー３０の背面には、円板体排除レバー２３の上面に当接する当接ピン３３と、図４で示すように、メインプレート２の表面２ａに当接する位置決めピン３４とが植設されている。
【００２９】
上述した円板体案内レバー３０によると、図３で示すように、ソレノイド２５がオフし、それによりコイルバネ２４の付勢力により、円板体排除レバー２３が軸２２を中心に反時計方向へ回動し、その下端２３ｂを第２の円板体案内通路１１内へ突出させると、円板体案内レバー３０は当接ピン３３を介し、円板体排除レバー２３の回転に連動して軸３１を中心に反時計方向へ回転し、第２の円板体案内通路１１の右側方を解放する。
【００３０】
また、図４で示すように、ソレノイド２５がオンし、その磁力により円板体排除レバー２３が軸２２を中心に時計方向へ回転し、その下端２３ｂを第２の円板体案内通路１１内から待避させると、円板体案内レバー３０は第２の付勢手段であるコイルバネ３２の付勢力により、軸３１を中心に時計方向へ回転し、第２の円板体案内通路１１の右側壁を構成する。なおその際、円板体案内レバー３０の背面に植設された位置決めピン３４がメインプレート２の表面２ａに当接し、それにより第２の円板体案内通路１１の通路幅Ｓを規定する。
【００３１】
なお、上記実施例の図１において、符号３５は円板体案内レバー３０に形成された開孔で、この開孔３５は円板体案内レバー３０の軽量化をはかり、その回転運動を迅速に起こさせるものである。
【００３２】
また図１で符号６０は、円板体投入口５から投入された円板体に当接し、それにより第１の円板体案内通路１０内を落下する円板体の落下速度を緩和させる円板体落下速度緩和手段で、この円板体落下速度緩和手段６０は、ゲートプレート３の表面に軸６１を介し回動自在に支承されたスイングレバー６２と、このスイングレバー６２を常時時計方向へ付勢するバネ６３とから構成されている。
【００３３】
なお、このスイングレバー６２の先端６２ａは、ゲートプレート３に形成された円弧形状の切り欠６４を介して第１の円板体案内通路１０内に突出し、これにより当該スイングレバー６２の先端６２ａと落下する円板体とを衝突させ、当該スイングレバー６２が軸６１を中心に反時計方向へ回動させることにより円板体の落下速度を緩和させるようにしている。
【００３４】
また図１および図２で符号４０は発光および受光素子からなる反射式の円板体検出センサーで、この円板体検出センサー４０は第２の円板体案内通路１１内を通過する円板体の数を検出する。
【００３５】
次に、上述した円板体選別装置１の作用を説明し、併せて構成をより詳細に説明する。
【００３６】
図１と同一部分を同一符号で示す図５のように、真円板体の外径よりも外径が大きい偽円板体５０が円板体投入口５内に投入されると、当該偽円板体５０は、ゲートプレート３の背面からメインプレート２側に突設された一対の外径規制爪３ｄ、３ｅ間に係合し、このため真円板体の外径よりも外径が大きい偽円板体５０は第１の円板体案内通路１０内下方への落下が阻止される。
【００３７】
なお、この一対の外径規制爪３ｄ、３ｅ間の距離は真円板体の外径よりも若干広く設定されている。
【００３８】
また、図１と同一部分を同一符号で示す図６のように、真円板体の外径よりも外径は小さいが、その板厚が真円板体の板厚よりも厚い偽円板体５１が円板体投入口５内に投入されると、その偽円板体５１はシックネススクリユー１６と当接し、このため第１の円板体案内通路１０内下方への落下が阻止される。
【００３９】
なお、この図５、図６で示すように、第１の円板体案内通路１０の上流で、その落下が阻止された円板体５０、５１はいずれもゲートプレート３を拡開することにより排除され、円板体選別装置１の下方へ落下して返却される。
【００４０】
次に、真円板体よりも外径が小さく、しかも板厚も真円板体と同じかそれより薄い偽円板体が投入された場合について詳述する。
【００４１】
図７で示すように、真円板体よりも外径が小さく、しかも板厚も真円板体と同じかそれより薄い偽円板体５３が円板体投入口５内に投入されると、当該偽円板体５３は、一対の外径規制爪３ｄ、３ｅおよびシックネススクリユー１６を通過し、その後、円板体落下速度緩和手段６０のスイングレバー先端６２ａと当接し、落下速度が緩和された状態で第１の円板体案内通路１０の下流側へ案内される。
【００４２】
その後、図７のＢＢ要部拡大断面図で示す図８のように、偽円板体５３は円板体押付け手段１３の円板体押付けレバー１４と当接し、当該円板体押付けレバー１４をコイルバネ１８の付勢力に抗して軸１９を中心に時計方向へ回転させ、これにより円板体押付けレバー１４とゲートプレート３との間を通過する。
【００４３】
その際、即ち、円板体押付けレバー１４とゲートプレート３との間を通過する間、偽円板体５３には円板体押付けレバー１４によりゲートプレート３側に押付けられる付勢力Ｆが常時作用するので、その付勢力Ｆにより偽円板体５３の各種方向への暴れが可及的に阻止され、そのため偽円板体５３は常に一定の姿勢に制御されて第２の円板体案内通路１１の始端Ｇ側へ案内される。
【００４４】
このように、一定の姿勢に制御されて偽円板体５３が第２の円板体案内通路１１の始端Ｇに到達すると、その外径の下端が一本の傾斜転送レール３ａに当接し、またその外径の上端が切り欠３ｃの上縁３ｂ以下の位置に到達する。
【００４５】
このように、偽円板体５３の外径の上端が切り欠３ｃの上縁３ｂ以下の位置に到達すると、当該偽円板体５３の左側方には、コイルバネ１８の付勢力Ｆが円板体押付けレバー１４を介し常時作用するので、当該偽円板体５３は図９で示すように、切り欠３ｃを介し傾斜壁３ｄ側へ倒れてその姿勢を変更する。
【００４６】
この図９で示すように、偽円板体５３が切り欠３ｃを介し傾斜壁３ｄ側へ倒れてその姿勢を変更すると、その外径の下端が傾斜転送レール３ａから脱落し、このため図１０で示すように、偽円板体５３は傾斜転送レール３ａの左側方に沿って形成されたスリット２ｃから下方へ落下して排除され選別される。
【００４７】
次に、真円板体が投入された場合を詳述する。
【００４８】
図１１で示すように、真円板体５４が円板体投入口５内に投入されると、当該円板体５４は一対の外径規制爪３ｄ、３ｅ間を通過し、さらにシックネススクリユー１６先端とゲートプレート３との間を通過した後、円板体落下速度緩和手段６０のスイングレバー先端６２ａと当接し、落下速度が緩和された状態で第１の円板体案内通路１０の下流側へ案内される。
【００４９】
その際、図１１のＢＢ拡大断面で示す図１２のように真円板体５４には、常時円板体押付けレバー１４によりゲートプレート３の背面側に押付けられる付勢力Ｆが常時作用するので、その付勢力により真円板体５４の各種方向への暴れが可及的に阻止され、そのため常に一定の姿勢に制御されて第２の円板体案内通路１１の始端Ｇへ案内される。
【００５０】
このように、一定の姿勢で真円板体５４が第２の円板体案内通路１１の始端Ｇに到達すると、その外径の下端が一本の傾斜転送レール３ａに当接し、またその外径の上端が切り欠３ｃの上縁３ｂ以上に当接する。
【００５１】
このように、真円板体５４の外径の上端が切り欠３ｃの上縁３ｂ以上に当接すると、真円板体５４は切り欠３ｃ側へ倒れることなく、図１１の矢印Ｈのように、第２の円板体案内通路１１の下流へ転送される。
【００５２】
一方、上述した第２の円板体案内通路１１の途中には、円板体強制排除手段２０が配設されている。
【００５３】
従って、図４で示すように、この円板体強制排除手段２０のソレノイド２５がオンしているとき、即ち円板体選別装置１の円板体受入許容時は、円板体排除レバー２３の下端２３ｂが第２の円板体案内通路１１内から待避し、それに連動して円板体案内レバー３０が第２の円板体案内通路１１の右側壁を構成するとともに、さらに、円板体案内レバー３０の背面に植設された位置決めピン３４がメインプレート２の表面２ａに当接するので、この円板体強制排除手段２０により第２の円板体案内通路１１の一部が形成されることとなる。
【００５４】
このように円板体強制排除手段２０により第２の円板体案内通路１１の一部が形成されると、第２の円板体案内通路１１の下流へ向け転送する真円板体５４は、図１３およびそのＣＣ断面図で示す１４のように、円板体案内レバー３０のガイドバー３０ｂに沿ってスムーズに第２の円板体案内通路１１の下流へ向け転送され、ついには、図１５で示すようにメインプレート２の右側方に形成された円板体排出孔２ｄから落下して収容される。なお、円板体強制排除手段２０を通過した真円板体５４は隣接する円板体検出センサー４０に検出されて、その枚数がカウントされる。
【００５５】
一方、円板体選別装置１の円板体受入非許容時は、図３で示すように、ソレノイド２５がオフし、これにより円板体排除レバー２３がコイルバネ２４の付勢力により軸２２を中心に反時計方向へ回動し、その下端２３ｂを第２の円板体案内通路１１内へ突出させて第２の円板体案内通路１１の通路を塞ぎ、またこの円板体排除レバー２３の動きに連動して円板体案内レバー３０が当接ピン３３を介し軸３１を中心に反時計方向へ回転して、第２の円板体案内通路１１の右側方を解放する。
【００５６】
このように円板体強制排除手段２０の円板体排除レバー２３が第２の円板体案内通路１１の通路を塞ぎ、また円板体案内レバー３０が第２の円板体案内通路１１の右側方を解放すると、第２の円板体案内通路１１の下流へ向け転送する真円板体５４の上方は、図１６で示すように、円板体排除レバー２３の下端２３ｂに形成された傾斜縁２３ｃ（図１４）に当接し、さらにこの傾斜縁２３ｃに沿って傾斜壁３ｄ側へ倒れてその姿勢を変更する。その際、前述したように円板体案内レバー３０は当接ピン３３を介し円板体排除レバー２３の動きに連動して軸３１を中心に反時計方向へスムーズに回転し、第２の円板体案内通路１１の右側方を解放するので、真円板体５４はスムーズに傾斜壁３ｄ側へ倒れ、このため真円板体５４が円板体排除レバー２３と円板体案内レバー３０との間に挟まれて円板体の詰りを起こすこともない。
【００５７】
このように、真円板体５４が傾斜壁３ｄ側へ倒れてその姿勢を変更すると、その外径の下端が傾斜転送レール３ａから脱落するので、このため図１７で示すように、真円板体５４は傾斜転送レール３ａの左側方に沿って形成されたスリット２ｃから下方へ落下して強制的に排除される。
【００５８】
次に、真円板体５４を排除する場合であって、しかも図１８で示すように、真円板体５４ａ、５４ｂ、５４ｃ…が互いに隣接した状態で連続投入されて第２の円板体案内通路１１を通過する場合に、連続投入された真円板体５４ａ、５４ｂ、５４ｃのうち、真円板体５４ａ以降の真円板体５４ｂ、５４ｃを排除する場合について詳述する。
【００５９】
この図１８では、第２の円板体案内通路１１を転送する真円板体５４ａ、５４ｂ、５４ｃのうち、真円板体５４ａのみが円板体強制排除手段２０を完全に通過し、真円板体５４ｂは円板体強制排除手段２０を通過中の状態を示している。
【００６０】
なお、この状態では、真円板体５４ａは円板体強制排除手段２０を完全に通過しているので、円板体検出センサー４０によりこの真円板体５４ａがカウントされ、このカウント信号が図示せぬ制御装置に伝達される。
【００６１】
このカウント信号が制御装置に伝達された際に、当該制御装置が、この真円板体５４ａのカウント信号により、円板体のストック枚数が一定枚数に達したと判断した場合は、以降の円板体（真円板体５４ｂ、５４ｃ）を排除すべく円板体強制排除手段２０のソレノイド２５に対する駆動信号の供給を停止し、当該ソレノイドをオフにする。
【００６２】
すると、図１８のＡＡ概念断面で示す図１９のように、円板体強制排除手段２０の円板体排除レバー２３と円板体案内レバー３０との間を通過中の真円板体５４ｂに対し、ソレノイド２５への駆動信号がオフになると、円板体排除レバー２３が第１の付勢手段であるコイルバネ２４の付勢力により軸２２を中心に反時計方向へ迅速に回動する。
【００６３】
このように円板体排除レバー２３が反時計方向へ迅速に回動すると、図２０で示すように、円板体排除レバー２３の下端２３ｂが通過中の真円板体５４ｂの上端に直接当接して弾き飛ばし、当該真円板体５４ｂを傾斜壁３ｄ側へ迅速に押し倒してその姿勢を変更させる。
【００６４】
すると、図２１で示すように、真円板体５４ｂの下端が傾斜転送レール３ａから脱落して、当該真円板体５４ｂはスリット２ｃから下方へ落下して強制的に排除される。
【００６５】
なお、真円板体５４ｂを強制的に排除する際、上述したように円板体案内レバー３０は当接ピン３３を介し、円板体排除レバー２３の動きに連動して反時計方向へ迅速に回転して、第２の円板体案内通路１１の右側方を迅速に解放するので、真円板体５４ｂはスムーズに傾斜壁３ｄ側へ倒れ（図２０）、このため真円板体５４ｂが円板体排除レバー２３と円板体案内レバー３０との間に挟まれて円板体の詰りを起すこともない。
【００６６】
なお、真円板体５４ｂが排除された後は、円板体排除レバー２３の下端２３ｂが第２の円板体案内通路１１内へ突出して第２の円板体案内通路１１の通路を塞いでいるので、以降の真円板体５４ｃは、図１６および図１７で示すのと同様に、円板体排除レバー２３の下端２３ｂに形成された傾斜縁２３ｃ（図１４）に沿って、姿勢を変更させて下方に落下し排除されこととなる。
【００６７】
【発明の効果】
以上説明したように、この発明の円板体選別装置では、円板体強制排除手段を第１の付勢手段の付勢力により円板体案内通路内に一端が突出する円板体排除レバーと、この円板体排除レバーを円板体案内通路から待避させる待避手段と、第２の付勢手段の付勢力により常時は円板体案内通路側に付勢され、かつ円板体排除レバーに連動して前記円板体案内通路から離間する円板体案内レバーとから構成するようにしたため、円板体の排除時には第１の付勢手段の付勢力により円板体排除レバーが迅速に円板体案内通路内に突出し、これにより排除対象の円板体を直接弾き飛ばして迅速に排除することができ、このため円板体が連続投入された場合であっても、一定収容枚数以上の円板体を直ちに排除して、いわゆる「円板体の飲み込み現象」を可及的に低減させることができる。
【００６８】
またこの発明では、円板体案内レバーを円板体排除レバーと連動させて配置し、円板体案内通路側方を迅速に解放するようにしたから、円板体を排除する際に、円板体を円板体排除レバーと円板体案内レバーとの間に挟んで詰りを起させることもなく、確実に円板体を円板体案内通路内から排除することができる。
【図面の簡単な説明】
【図１】図１はこの発明に係わる円板体選別装置の正面図。
【図２】図２はメインプレートの正面図。
【図３】図３は図１のＡＡ断面図。
【図４】図４は図１のＡＡ断面図。
【図５】図５は径の大きい円板体が投入された状態を示す円板体選別装置の正面図。
【図６】図６は板厚の大きい円板体を投入した円板体選別装置の正面図。
【図７】図７は径の小さい円板体を投入した円板体選別装置の正面図。
【図８】図８は図７のＢＢ拡大断面図。
【図９】図９は径の小さい円板体の排除状態を示す図。
【図１０】図１０は径の小さい円板体の排除状態を示す図。
【図１１】図１１は真円板体を投入した円板体選別装置の正面図。
【図１２】図１２は真円板体の選別状態を示す図１１のＢＢ要部拡大断面図。
【図１３】図１３は真円板体の通過状態を示す円板体強制排除手段の概念断面図。
【図１４】図１４は図１３のＣＣ断面図。
【図１５】図１５は真円板体の収容状態を示す円板体選別装置の正面図。
【図１６】図１６は真円板体の強制排除状態を示す円板体強制排除手段の概念断面図。
【図１７】図１７は真円板体の強制排除状態を示す円板体強制排除手段の概念断面図。
【図１８】図１８は真円板体が連続投入された状態を示す円板体選別装置の正面図。
【図１９】図１９は連続投入された真円板体の強制排除状態を示す円板体強制排除手段の概念断面図。
【図２０】図２０は連続投入された真円板体の強制排除状態を示す円板体強制排除手段の概念断面図。
【図２１】図２１は連続投入された真円板体の強制排除状態を示す円板体強制排除手段の概念断面図。
【符号の説明】
１…円板体選別装置
１０、１１…円板体案内通路
１２…円板体選別手段
２０…円板体強制排除手段
２３ｂ…一端
２３…円板体排除レバー
２４…第１の付勢手段（コイルバネ）
２５…待避手段（ソレノイド）
３０…円板体案内レバー
３２…第２の付勢手段（コイルバネ）
５０、５１、５３、５４、５４ａ、５４ｂ、５４ｃ…円板体
【図１】
0003864388.tif 000002
【図２】
0003864388.tif 000003
【図３】
0003864388.tif 000004
【図４】
0003864388.tif 000005
【図５】
0003864388.tif 000006
【図６】
0003864388.tif 000007
【図７】
0003864388.tif 000008
【図８】
0003864388.tif 000009
【図９】
0003864388.tif 000010
【図１０】
0003864388.tif 000011
【図１１】
0003864388.tif 000012
【図１２】
0003864388.tif 000013
【図１３】
0003864388.tif 000014
【図１４】
0003864388.tif 000015
【図１５】
0003864388.tif 000016
【図１６】
0003864388.tif 000017
【図１７】
0003864388.tif 000018
【図１８】
0003864388.tif 000019
【図１９】
0003864388.tif 000020
【図２０】
0003864388.tif 000021
【図２１】
0003864388.tif 000022